(57)【要約】      （修正有）【課題】耳介に骨伝導音声拡聴器の伝導クッションをあてがうことにより振動を直接に外耳道、鼓膜、中耳、耳小骨を通して与え、音を伝える部分として伝音聴神経を刺激し、これに対して蝸牛、聴神及び中枢をまとめて音を感じとる部分として感音聴神経を刺激し、振動を音として感じ取る骨伝導音声拡聴器を提供する。【解決手段】耳介５に骨伝導音声拡聴器の伝導クッションを押し当てることにより、振動を直接に外耳道６に与えると共に外耳道を通してつち骨８及びきぬた骨９に振動を与え、聴神経及び中枢をまとめて音を感知させるものであり、鼓膜の損傷のあるものにはそれ以上に損傷をあたえることはないものであることを特徴とする骨伝導音声拡聴器である。【選択図】図９
0003166740.tif 000002
【実用新案登録請求の範囲】
【請求項１】
本考案は、耳介２に骨伝導音声拡聴器１の伝導クッション３をあてがうことにより振動を直接に外耳道４に与えると共に外耳道４を通してつち骨５及びきぬた骨６に振動を与え聴神経及び中枢をまとめて音を感知させるものであり鼓膜７の損傷のあるものにはそれ以上に損傷をあたえることはないものであることを特徴とする骨伝導音声拡聴器１。
【請求項２】
長い時間聴いたときに骨伝導音声拡聴器１を持っている腕が疲れるので付属品の骨導イヤホンを挿入すれば、自動的に伝導クッション３の震えは消え、骨伝導イヤホンの震度が生じ、外耳道４を通してつち骨５及びきぬた骨６に振動を与え聴神経及び中枢をまとめて音を感知させるものであり鼓膜７の損傷のあるものにはそれ以上に損傷をあたえることはないものであることを特徴とする請求項１に記載の骨伝導音声拡聴器１。
【請求項３】
ロータリースイッチ２を上側に廻すと充電用の電気の使用となり、下側に廻すと電池用の電気の使用となり、どちらかを選び、電源を入れて更に廻す振動調節器２になり、振動が強くなり、戻すと振動が弱くなり、中央に戻すと電気が切れることを構造とするロータリースイッチ２を特徴とする請求項１に記載の骨伝導音声拡聴器１。
【考案の詳細な説明】
【技術分野】
【０００１】    本考案は、骨伝導音声拡聴器そのものを耳に直接あてて、骨伝導により音声を拡聴に関するものである。
【背景技術】
【０００２】  従来の骨伝導音声拡聴器は、埋め込み型骨導補聴器であったり、人工歯内に骨伝導受話器と、これを駆動させるための受信機及びこれらの電源となるバッテリを主体として構成した発音部を設置し、口外にマイクロホンと、これにより集音した音声信号を、身体を介して前記発音部に送出可能な信号手段及びこれらの電源となるバッテリを主体として構成した集音部を有して成る骨伝導補聴器もあり、これらは体内に埋め込む必要があり、多く欠点があった。【０００３】  また、骨導補聴器及び骨導スピーカにおいては、埋め込み型の骨導補聴器において、頭部圧迫の必要がなく軽量かつ着脱の容易化を図り、かつ皮膚に対する生傷発生を回避する場合もある。
【先行技術文献】
【特許文献】
【０００４】  精度の良い埋込み型骨伝導補聴器を提案する。頭骨に埋め込んだ体内ユニットに超磁歪素子でなる振動子を設け、体内ユニットにおいて生成した集音信号により振幅変調してなる可聴音変調伝送信号を体外送信コイルから体内ユニットに設けた体内受信コイルに伝送磁束によって伝送すると共に、体内受信コイルの誘起起電力によって振動子を伸縮駆動させるようにしたことにより、体内ユニットに電源や復調回路を設けることなく可聴音信号を高い精度で骨導させることができる。
【特許文献１】特開２０１０−７５３９４号公報
【０００５】  人工歯内に骨伝導受話器と、これを駆動させるための受信機及びこれらの電源となるバッテリを主体として構成した発音部を設置し、口外にマイクロホンと、これにより集音した音声信号を、身体を介して前記発音部に送出可能な送信号手段及びこれらの電源となるバッテリを主体として構成した集音部を有して成る骨伝導補聴器。
【実用新案文献２】
実開  昭６２−１５９０９９号公報
【０００６】  埋め込み型の骨伝導補聴器において、頭部圧迫の必要がなく軽量かつ着脱の容易化を図り、かつ皮膚に対する生傷発生を回避する。皮膚外に露出しない状態で頭骨に埋め込まれる磁性体と磁石による磁路内に配置されたボイスコイルを備えた骨導スピーカ本体とからなり、骨導スピーカ本体が、磁石の磁力で磁性体に固着されるように構成された骨導スピーカと、この骨導スピーカに接続されるマイクロホン及び増幅器を含む集音装置と和備えて成る。
【特許文献３】特開２００７−１８４７２２号公報
【０００７】  本発明は人体の頭部の骨に振動子の振動を通じて音声信号を自覚し認識できるようにする骨伝導スピーカを提供する。
骨伝導スピーカを構成箱において磁石を音声コイルに接近して設置せず、鉄片の上部に１個の磁石を設置する構成として、磁石の方向性を合わせなければならないわずらわしさをなくし、音声コイルの大きさを拡大させて特性の調整幅を大きくすることができることは勿論、磁石の大きさの変化による強度調節を非常に容易にし、大きさの小型化と軽量化を図った。
【特許文献４】特開２００７−７４６９３号公報
【０００８】  骨伝導受話器の振動伝達部を外耳道内に挿入し、骨伝導聴感を効率よく獲得し、合わせて骨伝導受話器振動伝達部の、装用状態の保持とその維持を容易にする。
【０００９】  図３において本発明は骨伝導受話器の振動伝達部を外耳道に挿入してこの内壁に圧接する装用となるので、この振動伝達部は、中耳部や内耳部などの聴覚器官の近傍に装用される。
【００１０】  従ってこの振動伝達部から前記聴覚器官に伝達される振動の減衰は軽微となり、骨伝導による聴覚器官での良好な聴感の誘発を図った。又、前記振動伝達部は、略円筒形状の外耳道の内壁の両端面に振副振動を伝達し、さらにこの振動伝達部の形状を外耳道に最適な装用ができる形状にして、この振動伝達部の外耳道内で、良好な装用状態の保持とその維持を図った。
【特許文献５】特開２００４−１６６１７４号公報
【００１１】  以上の公開特許公報４件及び公開実用新案公報１件と「骨伝導補聴器及び骨伝導スピーカ」に係る埋め込み式のものもあれば、先行技術は骨振導イヤホン式のものもありどちらか一方である。
いずれにしても、埋め込み式のものは、手術が必要であって、手間のかかるもの及び身体に過大な損傷を与えるとこの欠点を有している。
骨振導イヤホン式のものも長時間使用していると疲れてくる欠点を有している。本考案のものは、一台で骨伝導スピーカ式のものと骨振導イヤホン式のものと両方とも兼ね備えていて、至極便利である。
【考案の概要】
【考案が解決しようとする課題】
【００１２】  本考案は、大事な事柄を短い時間だけ聴きたいときにロータリースイッチを上側（充電用の電気の使用）か下側（電池用の電気の使用）かを廻して選び電源を入れて、本器の横の細長いスイッチを押しながら直接耳介に伝導クッションを当てて使用するものである。
充電用の電気の使用か電池用の電気の使用かの選びは、普通家庭に居るときは、充電が可能なので、充電用電気を使用するが、電池の使用は、外出先となり、電池の使用は電気がなくなるので家庭に居るときは使用が敬遠されることが多い。【００１３】  本考案は、耳介に骨伝導音声拡聴器の伝導クッションをあてがうことにより振動を直接に外耳道、鼓膜、中耳、耳小骨を通して、振動を与え、音を伝える部分として伝音聴神経を刺激し、これに対して蝸牛、聴神及び中枢をまとめて音を感じとる部分として感音聴神経を刺激し、振動を音として感じ取ることを特徴とする骨伝導音声拡聴器である。【００１４】  解決しようとする問題点は、長い時間聴きたい時に、例えばテレビ鑑賞、家族との団らん、演劇鑑賞、会議等には骨伝導音声拡聴器を持って耳介に当てていると腕が疲れるので付属の骨伝導イヤホンを使えば、骨伝導音声拡聴器の横の細長いスイッチを押す必要は無くなり、骨伝導イヤホンジャックを挿入すれば、自動的に切り替えますので本器をテーブルに置くか、ストラップで首に下げると最適である。
【課題を解決するための手段】
【００１５】  本考案は、耳介に骨伝導音声拡聴器の伝導クッションを、あてがうことにより、振動を直接に外耳道に与えると共に外耳道を通して、つち骨及びきぬた骨に振動を与え、聴神経及び中枢をまとめて音を感知させるものであり、鼓膜の損傷のあるものにはそれ以上に損傷をあたえることはないものであることを特徴とする骨伝導音声拡聴器である。【００１６】  長い時間聴いたときに骨伝導音声拡聴器を持っている腕が疲れるので付属品の骨導イヤホンを挿入すれば、自動的に伝導クッションの震えは消え、骨伝導イヤホンの震度が生じ、外耳道を通してつち骨及びきぬた骨に振動を与え聴神経及び中枢をまとめて音を感知させるものであり鼓膜の損傷のあるものにはそれ以上に損傷をあたえることはないものであることを特徴とする骨伝導音声拡聴器である。
【考案の効果】
【００１７】  本考案の骨伝導音声拡聴器は、音声で無く、振動であって鼓膜の損傷のある人には、極めて優れ、更に損傷を加えることなく骨振動により外耳道、鼓膜、中耳、耳小骨を軽く震わせて音を伝える神経部分から骨振動により多少なりとも柔らかく、音及び音楽などを感じることの効果があり、最適であることを利点とするものである。
【図面の簡単な説明】
【００１８】
【図１】図１は骨伝導音声拡聴器の正面の説明図である。
【図２】図２は骨伝導音声拡聴器の背面からの説明図である。
【図３】図３は骨伝導音声拡聴器の左側の説明図である。
【図４】図４は骨伝導音声拡聴器の右側の説明図である。
【図５】図５は骨伝導音声拡聴器の平面からの説明図である。
【図６】図６は骨伝導音声拡聴器の骨伝導振動子の中央断面図であり、骨伝導振動子のフレームの中身全体の構成説明図である。
【図７】図７は骨伝導音声拡聴器の骨伝導振動子の中央断面図であって構成説明図である。
【図８】図８は骨伝導音声拡聴器の全体の構成説明図である。
【図９】図９は耳の構造とそのはたらきの説明図である。
【考案を実施するための形態】
【００１９】  本考案は、大事な事柄を短い時間だけを聴きたいときにロータリースイッチを上側（充電用の電気の使用）か、下側（電池用の電気の使用）かに廻して電源を入れて選び、更に廻す振動調節器になり、振動が強くなる。骨伝導音声拡聴器の横の細長いスイッチを押しながら直接耳介に伝導クッションを当てて使用するものである。
本考案は、耳介に本器の伝導クッションを当てることにより振動を直接に外耳道に与えると共に外耳道を通してつち骨及びきぬた骨に振動を与え、聴神経及び中枢をまとめて音を感知させるものであり、鼓膜の損傷のあるものには、それ以上に損傷をあたえることはないものであることを特徴とする骨伝導音声拡聴器である。
【実施例１】
【００２０】  図１は、本考案の骨伝導音声拡聴器１であり、正面からの説明図であって、ロータリースイッチ２を上側に廻すか、下側に廻すかは、廻すこと自体により電源が入り、上側に廻すことにより充電用電気が使用となり、下側に廻すことにより電池用電気が使用となる。更に、廻すと振動調節器になる。この骨伝導音声拡聴器１は、電源が入るといつでも働きを開始する準備をするが、伝導クッション３は、反対側にある細長いスイッチ４を押すと伝導クッション３振動が開始する。【００２１】  その振動を図９の耳介５に直接当てて、外耳道６を通して、鼓膜７、つち骨８、きぬた骨９、外側半規管１０、あぶみ骨１１、前庭１２、蝸牛窓１３、蝸牛１４、耳管１５の、音をつかさどる総神経全体を総動員して振動から、その骨振動を全神経から音を通じて物音・言葉及び音楽として認識させるものである。【００２２】  図２は、骨伝導音声拡聴器１の背面からの説明図であって、ロータリースイッチ２を上側か下側に廻すと電源は入り、更に廻すと骨伝導イヤホン３１の振動調節器２となり振動は強くなる。電池の蓋は１６であり、その小さい三角印１７は開ける方向を示しているが、閉める方向は、反対側に横に押せば蓋は閉まる。三角印１７の右側の長方形内の縦の線１８は、指が掛かり易くぎざぎざになっている。反対側の細長いスイッチ４を押すと伝導クッション３振動が開始する。【００２３】  図３は、骨伝導音声拡聴器の左側の説明図であって、上部の軸１９は、ストラップ掛け軸１９であり、２０はストラップ紐である。その下の長方形の横線は、ロータリースイッチ２で、且つ又骨伝導イヤホン８の振動調節器２であり、１６は、電池の蓋であって、３は伝導クッション振動子である。【００２４】  図４は、骨伝導音声拡聴器１の右側の説明図であって、図中にはない反対側のロータリースイッチ２を上側（充電用の電気の使用）か、下側（電池用の電気の使用）かに、廻して選び電源を入れて、中央の細長いスイッチ４を押すと伝導クッション３振動が開始するが、放すと伝導クッション３振動が止まる。長時間聴いて腕が疲れたら、骨伝導イヤホンジャック２１をジャック孔２２に差し込むと自動的に伝導クッション３は振動を止めに切り替え、骨伝導イヤホン３１は振動を開始し、続けて聞けるので便利である。【００２５】  図５は、骨伝導音声拡聴器１の平面からの説明図であって、左側の出っ張りは、ロータリースイッチ２で上側に廻すと充電用の電気の使用であり、下側に廻すと電池用の電気の使用であり、更に、ロータリースイッチ２を廻すと振動調節器２となる。
且つ又骨伝導イヤホンは３１であり、１９は、ストラップ掛け軸１９である。充電ジャク孔２３へは、充電ジャク２４を挿入し、骨伝導イヤホンジャク孔２２へは、骨伝導イヤホンジャク２１を挿入するものである。右側の細長いスイッチ４を押すと伝導クッション３は振動が開始する。【００２６】  図６は、骨伝導音声拡聴器１に骨伝導振動子２５として嵌め込まれるものであって、Ａは、伝達クッション３であってＣのフレーム２６の上に貼り付けられるものであります。Ｂは、ａ乃至ｉまではＣのフレーム２６の中に入り組み込まれるものであり、その構造は図７の中央断面図で示すとおりである。【００２７】  したがって、組み込まれるとフレーム２６はキャップをもってキャップされ、その上に伝達クッション３が貼り付けられる。Ａ．Ｂ．Ｃ．が全体となって骨伝導振動子２５となり、全体が振動するものである。ロータリースッチ２を上側か、下側へ廻すと電源が入り、更に廻すと振動調節器となり、振動が強くなる。細長いスイッチ４を押すと骨伝導振動子２５が震え伝達クッション３に直接耳介に当てると外耳道を通じて骨伝導が生じ耳の神経全体が音及び音楽として認識するものである。【００２８】  図７は骨伝導音声拡聴器１に骨伝導振動子２５として嵌め込まれるものであって、骨伝導震動子２５の中央断面図の構成説明図である。
骨伝導震動子２５は本器の心臓部であるが、ロータリースッチ２を上側に廻すと充電用の電源が入り、下に廻すと電池用の電源が入り、細長いスイッチ４を押すとコイルｉに電気が通じ、プレートｈ、マグネットｇ、第２マグネットｆ、基板ｄ、振動板ｃ、締め金具ｂ、キャップａの上に伝達クッション３（Ａ）全体の働きにより、振動板ｃが振動しその外側にある伝達クッション３により振動が伝達される。伝達クッション３に直接耳介５に当てると外耳道６を通じて骨伝導が生じ耳の神経全体が骨伝導振動子２５から発する振動を音及び音楽として認識するものである。【００２９】  図８は、骨伝導音声拡聴器１の全体の構成説明図であって、その中心に骨伝導音声拡聴器１があり、一点鎖線は、ストラップで首に下げる紐２０であり、下げ紐のストラプ２０である。その隣にある充電用ケーブル２７であって、一方の四角ものは、セレン整流器２９であり、その先端にＡＣ１００Ｖのジャックが付いており、他方の充電ジャック２３である。【００３０】  そして、蓄電池に電圧が下がると骨伝導音声拡聴器１の下の方にある電球３０が赤く灯り、そのときにＡＣ１００ＶのジャックをＡＣ１００Ｖコンセント２８に差込むと同時に充電ジャック２３を充電ジャック孔２４に差し込み充電が充ちると青に光る。そのときは充電ジャック２４を引き抜くと充電が終わる。再び、蓄電池に電圧が下がると骨伝導音声拡聴器１の下の方にある電球３０が赤く灯る。【００３１】  また、ロータリースイッチ２上側へ押すと充電用の電気に代わり、電源が入り、骨伝導音声拡聴器１が活動開始する。更に廻すと振動調節器２となり、廻すほどに振動は強くなり、戻すと弱くなる。ロータリースイッチ２を上側へ押したままの状態で、細長いスイッチ４を押すと伝達クッション３が振動し、耳介５に直接当てると外耳道６を通じて骨伝導が生じ耳の神経全体が音及び音楽として認識するものである。
長時間聴いて細長いスイッチ４を押す腕が疲れたら、付属品の骨伝導イヤホンは３１であって、その反対側にある骨伝導イヤホンジャック２１を骨伝導イヤホンジャック孔２２に挿入することにより自動的に切り替わり、講演や音楽等を続けて聞けるのである。これらは充電用の電気であり、中央にロータリースイッチ２を戻すと電気は切れる。【００３２】  そして、ロータリースイッチ２下側へ押すと電池用の電気に代わり、電源が入り、骨伝導音声拡聴器１が活動開始する。更に廻すと振動調節器２となり、廻すほどに振動は強くなり、戻すと弱くなる。ロータリースイッチ２を下側へ押したままの状態で、細長いスイッチ４を押すと伝達クッション３が振動し、耳介５に直接当てると外耳道６を通じて骨伝導が生じ耳の神経全体が音及び音楽として認識するものである。
長時間聴いて細長いスイッチ４を押す腕が疲れたら、付属品の骨伝導イヤホンジャック２１を骨伝導イヤホンジャック孔２２に挿入することにより自動的に切り替わり、講演や音楽等を続けて聞けるのである。これらは電池用の電気であり、中央にロータリースイッチ２を戻すと電気は切れる。【００３３】  図９は耳の構造とそのはたらきの説明図であって、耳の穴は外耳道６といい入口から鼓膜までは３．５ｃｍあり、外耳道６の一番奥にあるのが鼓膜７である。この際は、鼓膜７が損傷を受けて鼓膜の働きが殆ど無く骨伝導で音の神経の働きにより音と言葉を認識される骨振導音声拡聴器１に係る考案である。
また、外耳道、鼓膜、中耳、耳小骨は、音を伝える部分であり、蝸牛、脳神経及び中枢をまとめて音を感じる部分として感音系といいます。
【産業上の利用可能性】
【００３４】本考案は、骨振導音声拡聴器に係る考案であって、短時間で特に大事な話は本器の伝達クッションを耳介に直接当てると外耳道を通じて骨伝導が生じ耳の神経全体が音及び音楽として認識するものである。
長時間聴いて腕が疲れたら、骨伝導イヤホンに切り替えると講演や音楽等を続けて聞けて便利であり、鼓膜の損傷を保護し、快適に長く講演や音楽等を続けて楽しめる効果があり、最適である。
【符号の説明】
【００３５】  １  骨振導音声拡聴器
２  ロータリースイッチ兼振動調節器
３  伝導クッション
４  細長いスイッチ
５  耳介
６  外耳道
７  鼓膜
８  つち骨
９  きぬた骨
１０  外側半規管
１１  あぶみ骨（前庭窓）
１２  前庭
１３  蝸牛窓
１４  蝸牛
１５  耳管
１６  電池の蓋
１７  三角印
１８  長方形内の縦の線
１９  ストラップ掛け軸
２０  ストラップ紐
２１  骨伝導イヤホンジャク
２２  骨伝導イヤホンジャク孔
２３  充電ジャック
２４  充電ジャック孔
２５  骨伝導振動子
２６  フレーム
２７  充電用ケーブル
２８  １００Ｖコンセント
２９  セレン整流器
３０  電球
３１  骨伝導イヤホン
【図１】
0003166740.tif 000003
【図２】
0003166740.tif 000004
【図３】
0003166740.tif 000005
【図４】
0003166740.tif 000006
【図５】
0003166740.tif 000007
【図６】
0003166740.tif 000008
【図７】
0003166740.tif 000009
【図８】
0003166740.tif 000010
【図９】
0003166740.tif 000011
【手続補正書】
【提出日】平成22年12月21日(2010.12.21)
【手続補正２】
【補正対象書類名】実用新案登録請求の範囲
【補正対象項目名】全文
【補正方法】変更
【補正の内容】
【実用新案登録請求の範囲】
【請求項１】
普通の拡声器のスピーカーに当たる部分に伝導クッション３設け、耳介５に骨伝導音声拡聴器１の伝導クッション３にあてがうことにより、振動を直接に外耳道６に与えると共に、外耳道６を通してつち骨８及びきぬた骨９に振動を与え聴神経及び中枢をまとめて音を感知させるものであり、普通の拡声器のスピーカーの空気振動により、鼓膜７の損傷のあるものにはそれ以上に損傷をあたえることはないものであることを特徴とする骨伝導音声拡聴器１。
【請求項２】
長い時間聴いたときに骨伝導音声拡聴器１を持っている腕が疲れるので付属品の骨伝導イヤホン３１を挿入すれば、自動的に伝導クッション３の振動は消え、骨伝導イヤホン３１のコイルと磁気の働きにより振動が生じ、外耳道６を通してつち骨８及びきぬた骨９に振動を与え聴神経及び中枢をまとめて音を音楽と言葉を感知させるものであり、普通一般のイヤホンでは、空気振動により音楽、言葉をじかに感じ、鼓膜７の損傷のあるものにはそれ以上に損傷をあたえ、これに対し、骨伝導イヤホン３１の振動が生じ、その振動が直接骨に感じ、鼓膜７の損傷のあるものにはそれ以上に損傷をあたえることはないものであることを特徴とする請求項１に記載の骨伝導音声拡聴器１。
【請求項３】
ロータリースイッチ２を上側に廻すと充電式となり、下側に廻すと電池式となり、どちらかを選び、電源を入れて更に廻す振動調節器２になり、振動が強くなり、戻すと振動が弱くなり、中央に戻すと電気が切れることを構造とするロータリースイッチ２を特徴とする請求項１に記載の骨伝導音声拡聴器１。
【手続補正３】
【補正対象書類名】明細書
【補正対象項目名】全文
【補正方法】変更
【補正の内容】
【考案の詳細な説明】
【技術分野】
【０００１】  本考案は、骨伝導音声拡聴器そのものを耳に直接あてて、骨伝導により音声を拡聴に関するものである。
【背景技術】
【０００２】  従来の骨伝導音声拡聴器は、埋め込み型骨導補聴器であったり、人工歯内に骨伝導受話器と、これを駆動させるための受信機及びこれらの電源となるバッテリを主体として構成した発音部を設置し、口外にマイクロホンと、これにより集音した音声信号を、身体を介して前記発音部に送出可能な信号手段及びこれらの電源となるバッテリを主体として構成した集音部を有して成る骨伝導補聴器もあり、これらは体内に埋め込む必要があり、多く欠点があった。【０００３】  また、骨導補聴器及び骨導スピーカにおいては、埋め込み型の骨導補聴器において、頭部圧迫の必要がなく軽量かつ着脱の容易化を図り、かつ皮膚に対する生傷発生を回避する場合もある。
【先行技術文献】
【特許文献】
【０００４】  精度の良い埋込み型骨伝導補聴器を提案する。頭骨に埋め込んだ体内ユニットに超磁歪素子でなる振動子を設け、体内ユニットにおいて生成した集音信号により振幅変調してなる可聴音変調伝送信号を体外送信コイルから体内ユニットに設けた体内受信コイルに伝送磁束によって伝送すると共に、体内受信コイルの誘起起電力によって振動子を伸縮駆動させるようにしたことにより、体内ユニットに電源や復調回路を設けることなく可聴音信号を高い精度で骨導させることができる。
【特許文献１】特開２０１０−７５３９４号公報
【０００５】  人工歯内に骨伝導受話器と、これを駆動させるための受信機及びこれらの電源となるバッテリを主体として構成した発音部を設置し、口外にマイクロホンと、これにより集音した音声信号を、身体を介して前記発音部に送出可能な送信号手段及びこれらの電源となるバッテリを主体として構成した集音部を有して成る骨伝導補聴器。
【実用新案文献２】
実開  昭６２−１５９０９９号公報
【０００６】  埋め込み型の骨伝導補聴器において、頭部圧迫の必要がなく軽量かつ着脱の容易化を図り、かつ皮膚に対する生傷発生を回避する。皮膚外に露出しない状態で頭骨に埋め込まれる磁性体と磁石による磁路内に配置されたボイスコイルを備えた骨導スピーカ本体とからなり、骨導スピーカ本体が、磁石の磁力で磁性体に固着されるように構成された骨導スピーカと、この骨導スピーカに接続されるマイクロホン及び増幅器を含む集音装置とを備えて成る。
【特許文献３】特開２００７−１８４７２２号公報
【０００７】  本発明は人体の頭部の骨に振動子の振動を通じて音声信号を自覚し認識できるようにする骨伝導スピーカを提供する。
いずれにしても、埋め込み式のものは、手術が必要であって、手間のかかるもの及び身体に過大な損傷を与えるとこの欠点を有している。
骨振導イヤホン式のものも長時間使用していると疲れてくる欠点を有している。本考案のものは、一台で骨伝導スピーカ式のものと骨振導イヤホン式のものと両方とも兼ね備えていて、至極便利である。
【考案の概要】
【考案が解決しようとする課題】
【００１２】  本考案は、大事な事柄を短い時間だけ聴きたいときにロータリースイッチを上側（充電用の電気の使用）か、下側（電池用の電気の使用）か、を廻して選び電源を入れて、本器の横の細長いスイッチを押しながら直接耳介に伝導クッションを当てて使用するものである。
充電用の電気の使用か電池用の電気の使用かの選びは、普通家庭に居るときは、充電が可能なので、充電用電気を使用するが、電池の使用は、外出先となり、電池の使用は電気がなくなるので家庭に居るときは使用が敬遠されることが多い。【００１３】  本考案は、耳介に骨伝導音声拡聴器の伝導クッションをあてがうことにより振動を直接に外耳道、鼓膜、中耳、耳小骨を通して、振動を与え、音を伝える部分として伝音聴神経を刺激し、これに対して蝸牛、聴神及び中枢をまとめて音を感じとる部分として感音聴神経を刺激し、振動を音として感じ取ることを特徴とする骨伝導音声拡聴器である。【００１４】  解決しようとする問題点は、長い時間聴きたい時に、例えばテレビ鑑賞、家族との団らん、演劇鑑賞、会議等には骨伝導音声拡聴器を持って耳介に当てていると腕が疲れるので付属の骨伝導イヤホンを使えば、骨伝導音声拡聴器の横の細長いスイッチを押す必要は無くなり、骨伝導イヤホンジャックを挿入すれば、自動的に切り替えますので本器をテーブルに置くか、ストラップで首に下げると最適である。
【課題を解決するための手段】
【００１５】  本考案は、普通の拡声器のスピーカーに当たる部分に伝導クッション設け、耳介に骨伝導音声拡聴器の伝導クッションにあてがうことにより振動を直接に外耳道に与えると共に外耳道を通してつち骨及びきぬた骨に振動を与え聴神経及び中枢をまとめて音を感知させるものであり、普通の拡声器のスピーカーの空気振動により、鼓膜の損傷のあるものにはそれ以上に損傷をあたえることはないものであることを特徴とする骨伝導音声拡聴器である。
耳介に骨伝導音声拡聴器の伝導クッションを、あてがうことにより、振動を直接に外耳道に与えると共に外耳道を通して、つち骨及びきぬた骨に振動を与え、聴神経及び中枢をまとめて音を感知させるものであり、鼓膜の損傷のあるものにはそれ以上に損傷をあたえることはないものであることを特徴とする骨伝導音声拡聴器である。【００１６】長い時間聴いたときに骨伝導音声拡聴器を持っている腕が疲れるので付属品の骨伝導イヤホンを挿入すれば、自動的に伝導クッションの振動は消え、骨伝導イヤホンのコイルと磁気の働きにより振動が生じ、外耳道を通してつち骨及びきぬた骨に振動を与え聴神経及び中枢をまとめて音を音楽と言葉を感知させるものであり、普通一般のイヤホンでは、空気振動により音楽、言葉をじかに感じ、鼓膜の損傷のあるものにはそれ以上に損傷をあたえ、これに対し、骨伝導イヤホンの振動が生じ、その振動が直接骨に感じ、鼓膜の損傷のあるものにはそれ以上に損傷をあたえることはないものであることを特徴とする骨伝導音声拡聴器である。【００１７】  ロータリースイッチを上側に廻すと充電式となり、下側に廻すと電池式となり、どちらかを選び、電源を入れて更に奥に廻すと振動調節器になり、振動が強くなり、戻すと振動が弱くなり、中央に戻すと電気が切れることを構造とするロータリースイッチを特徴とする骨伝導音声拡聴器である。
【考案の効果】
【００１８】  本考案の骨伝導音声拡聴器は、音声で無く、振動であって鼓膜の損傷のある人には、極めて優れ、更に損傷を加えることなく骨振動により外耳道、鼓膜、中耳、耳小骨を軽く震わせて音を伝える神経部分から骨振動により多少なりとも柔らかく、音及び音楽などを感じることの効果があり、最適であることを利点とするものである。
【図面の簡単な説明】
【００１９】
【図１】図１は骨伝導音声拡聴器の正面の説明図である。
【図２】図２は骨伝導音声拡聴器の背面からの説明図である。
【図３】図３は骨伝導音声拡聴器の左側の説明図である。
【図４】図４は骨伝導音声拡聴器の右側の説明図である。
【図５】図５は骨伝導音声拡聴器の平面からの説明図である。
【図６】図６は骨伝導音声拡聴器の骨伝導振動子の中央断面図であり、骨伝導振動子のフレームの中身全体の構成説明図である。
【図７】図７は骨伝導音声拡聴器の骨伝導振動子の中央断面図であって構成説明図である。
【図８】図８は骨伝導音声拡聴器の全体の構成説明図である。
【図９】図９は耳の構造とそのはたらきの説明図である。
【考案を実施するための形態】
【００２０】  本考案は、大事な事柄を短い時間だけを聴きたいときにロータリースイッチを上側（充電用の電気の使用）か、下側（電池用の電気の使用）かに廻して電源を入れて選び、更に奥に廻すと振動調節器になり、振動が強くなる。骨伝導音声拡聴器の横の細長いスイッチを押しながら直接耳介に伝導クッションを当てて使用するものである。
本考案は、耳介に本器の伝導クッションを当てることにより振動を直接に外耳道に与えると共に外耳道を通してつち骨及びきぬた骨に振動を与え、聴神経及び中枢をまとめて音を感知させるものであり、鼓膜の損傷のあるものには、それ以上に損傷をあたえることはないものであることを特徴とする骨伝導音声拡聴器である。
【実施例１】
【００２１】  図１は、本考案の骨伝導音声拡聴器１であり、正面からの説明図であって、ロータリースイッチ２を上側に廻すか、下側に廻すかは、廻すこと自体により電源が入り、上側に廻すことにより充電用電気が使用となり、下側に廻すことにより電池用電気が使用となる。更に、廻すと振動調節器になる。この骨伝導音声拡聴器１は、電源が入るといつでも働きを開始する準備をするが、伝導クッション３は、反対側にある細長いスイッチ４を押すと伝導クッション３振動が開始する。【００２２】  その振動を図９の耳介５に直接当てて、外耳道６を通して、鼓膜７、つち骨８、きぬた骨９、外側半規管１０、あぶみ骨１１、前庭１２、蝸牛窓１３、蝸牛１４、耳管１５の、音をつかさどる総神経全体を総動員して振動から、その骨振動を全神経から音を通じて物音・言葉及び音楽として認識させるものである。【００２３】  図２は、骨伝導音声拡聴器１の背面からの説明図であって、ロータリースイッチ兼振動調節器２を上側か下側に廻すと電源は入り、更に奥に廻すと骨伝導イヤホン３１の振動は強くなる。電池の蓋は１６であり、その小さい三角印１７は開ける方向を示しているが、閉める方向は、反対側に横に押せば蓋は閉まる。三角印１７の右側の長方形内の縦の線１８は、指が掛かり易くぎざぎざになっている。反対側の細長いスイッチ４を押し続けると伝導クッション３振動が開始する。【００２４】  図３は、骨伝導音声拡聴器の左側の説明図であって、上部の軸１９は、ストラップ掛け軸１９であり、２０はストラップ紐である。その下の長方形の横線は、ロータリースイッチ兼振動調節器２で、伝導クッション３であり、１６は、電池の蓋であって、その下３０は、電球であって、蓄電池の電圧が下がると赤く、上がると青く光る電球３０である。【００２５】  図４は、骨伝導音声拡聴器１の右側の説明図であって、図中にはない反対側のロータリースイッチ２を上側（充電用の電気の使用）か、下側（電池用の電気の使用）かに、廻して選び電源を入れて、更に奥に廻すと振動調節器２になり、振動が強くなり、戻すと振動が弱くなり、中央に戻すと電気が切れることを構造とするロータリースイッチ２を特徴とする骨伝導音声拡聴器１である。【００２６】  中央の細長いスイッチ４を押し続ける伝導クッション３振動が開始するが、放すと伝導クッション３振動が止まる。長時間聴いて腕が疲れたら、骨伝導イヤホンジャック２１を骨伝導イヤホンジャック孔２２に差し込むと自動的に伝導クッション３は振動を止めに切り替え、骨伝導イヤホン３１は振動を開始し、続けて聞けるので便利である。【００２７】  図５は、骨伝導音声拡聴器１の平面からの説明図であって、左側の出っ張りは、ロータリースイッチ２で上側に廻すと充電用の電気の使用であり、下側に廻すと電池用の電気の使用であり、更に、奥に廻すとロータリースイッチ２は、振動調節器２となり、奥に廻す程段々強くなる。元に戻すと程段々弱くなる。【００２８】  且つ又骨伝導イヤホンは３１であり、１９は、ストラップ掛け軸１９である。
充電ジャク孔２４へは、充電ジャク２３を挿入し、骨伝導イヤホンジャク孔２２へは、骨伝導イヤホンジャク２１を挿入するものである。右側の細長いスイッチ４を押すと伝導クッション３は振動が開始する。【００２９】  図６は、骨伝導音声拡聴器１に骨伝導振動子２５として嵌め込まれるものであって、Ａは、伝達クッション３であってＣのフレーム２６の上に貼り付けられるものであります。Ｂは、ａ乃至ｉまではＣのフレーム２６の中に入り組み込まれるものであり、その構造は図７の中央断面図で示すとおりである。【００３０】  したがって、組み込まれるとフレーム２６はキャップａをもってキャップａされ、その上に伝達クッション３が貼り付けられる。Ａ．Ｂ．Ｃ．が全体となって骨伝導振動子２５となり、全体が振動するものである。
ロータリースッチ２を上側か、下側へ廻すと第一段階は、電源が入り、更に第二段階は振動調節器２となり、奥に廻す程振動が強くなる。細長いスイッチ４を押し続けると骨伝導振動子２５が振動し、伝達クッション３に直接耳介に当てると外耳道を通じて骨伝導が生じ耳の神経全体が音及び音楽、言葉として認識するものである。【００３１】    図７は骨伝導音声拡聴器１に骨伝導振動子２５として嵌め込まれるものであって、骨伝導震動子２５の中央断面図の構成説明図である。
骨伝導震動子２５は本器の心臓部であるが、ロータリースッチ２を上側に廻すと第一段階は、充電用の電源が入り、下に廻すと第一段階は、電池用の電源が入り、上下更に奥に廻すと、第二段階は振動調節器２となり、奥に廻す程振動が強くなる。【００３２】  細長いスイッチ４を押すとコイルｉに電気が通じ（主電源は、ロータリースイッチ２にあり、上側に廻すと充電の電気・下側に廻すと電池の電気・それぞれの電気を使用するようになる。）、プレートｈ、マグネットｇ、第プレートｆ、第２マグネットｅ、基板ｄ、振動板ｃ、締め金具ｂ、キャップａの上に伝達クッション３（Ａ）全体の働きにより、振動板ｃが振動しその外側にある伝達クッション３により振動が伝達される。伝達クッション３に直接耳介５に当てると外耳道６を通じて骨伝導が生じ耳の神経全体が骨伝導振動子２５から発する振動を音及び音楽、言葉として認識するものである。【００３３】  図８は、骨伝導音声拡聴器１の全体の構成説明図であって、その中心に骨伝導音声拡聴器１があり、一点鎖線は、ストラップで首に下げる紐２０であり、下げ紐のストラプ２０である。その隣にある充電用ケーブル２７であって、一方の四角ものは、セレン整流器２９であり、その先端にＡＣ１００Ｖのジャックが付いており、他方の充電ジャック２３である。【００３４】  そして、蓄電池に電圧が下がると骨伝導音声拡聴器１の下の方にある電球３０が赤く光り、そのときにＡＣ１００ＶのジャックをＡＣ１００Ｖコンセント２８に差込むと同時に充電ジャック２３を充電ジャック孔２４に差し込み充電が充ちると青に光る。そのときは充電ジャック２３を引き抜くと充電が終わる。再び、蓄電池に電圧が下がると骨伝導音声拡聴器１の下の方にある電球３０が赤く光る。【００３５】  また、ロータリースイッチ２上側へ押すと充電用の電気に代わり、電源が入り、骨伝導音声拡聴器１が活動開始する。更に廻すと振動調節器２となり、廻すほどに振動は強くなり、戻すと弱くなる。ロータリースイッチ２を上側へ押したままの状態で、細長いスイッチ４を押すと伝達クッション３が振動し、耳介５に直接当てると外耳道６を通じて骨伝導が生じ耳の神経全体が音及び音楽、言葉として認識するものである。【００３６】  長時間聴いて細長いスイッチ４を押す腕が疲れたら、付属品の骨伝導イヤホン３１を使用することによって、その反対側にある骨伝導イヤホンジャック２１を骨伝導イヤホンジャック孔２２に挿入することにより自動的に切り替わり、骨伝導イヤホン３１を外耳道６に挿入することにより骨伝導イヤホン３１の振動を外耳道６通じて骨伝導が生じ耳の神経全体が、講演や音楽等を続けて聞けるのである。これらは充電用の電気であり、家庭にいるときは、通常充電器用を使用するものである。中央にロータリースイッチ２を戻すと電気は切れる。【００３７】  そして、ロータリースイッチ２下側へ押すと電池用の電気に代わり、電源が入り、骨伝導音声拡聴器１が活動開始する。更に廻すと振動調節器２となり、廻すほどに振動は強くなり、戻すと弱くなる。ロータリースイッチ２を下側へ押したままの状態で、細長いスイッチ４を押し続けると電池用の電気を使用し伝達クッション３が振動し、耳介５に直接当てると外耳道６を通じて骨伝導が生じ耳の神経全体が音及び音楽として認識するものである。【００３８】  長時間聴いて細長いスイッチ４を押す腕が疲れたら、付属品の骨伝導イヤホンジャック２１を骨伝導イヤホンジャック孔２２に挿入することにより自動的に切り替わり、講演や音楽等を続けて聞けるのである。これらは電池用の電気であり、外出の際は、乾電池用の電気を使用する。中央にロータリースイッチ２を戻すと電気は切れる。【００３９】  図９は耳の構造とそのはたらきの説明図であって、耳の穴は外耳道６といい入口から鼓膜までは３．５ｃｍあり、外耳道６の一番奥にあるのが鼓膜７である。この際は、鼓膜７が損傷を受けて鼓膜７の働きが殆ど無く骨伝導で音の神経の働きにより音と言葉を認識される骨振導音声拡聴器１に係る考案である。
また、外耳道、鼓膜、中耳、耳小骨は、音を伝える部分であり、蝸牛、脳神経及び中枢をまとめて音を感じる部分として感音系といいます。
【産業上の利用可能性】
【００４０】  本考案は、骨振導音声拡聴器に係る考案であって、短時間で特に大事な話は本器の伝達クッションを耳介に直接当てると外耳道を通じて骨伝導が生じ耳の神経全体が音及び音楽、言葉として認識するものである。
長時間聴いて腕が疲れたら、骨伝導イヤホンに切り替えると講演や音楽等を続けて聞けて便利であり、鼓膜の損傷を保護し、快適に長く講演や音楽等を続けて楽しめる効果があり、最適である。
【符号の説明】
【００４１】  １  骨振導音声拡聴器
２  ロータリースイッチ兼振動調節器
３  伝導クッション
４  細長いスイッチ
５  耳介
６  外耳道
７  鼓膜
８  つち骨
９  きぬた骨
１０  外側半規管
１１  あぶみ骨（前庭窓）
１２  前庭
１３  蝸牛窓
１４  蝸牛
１５  耳管
１６  電池の蓋
１７  三角印
１８  長方形内の縦の線
１９  ストラップ掛け軸
２０  ストラップ紐
２１  骨伝導イヤホンジャク
２２  骨伝導イヤホンジャク孔
２３  充電ジャック
２４  充電ジャック孔
２５  骨伝導振動子
２６  フレーム
２７  充電用ケーブル
２８  １００Ｖコンセント
２９  セレン整流器
３０  電球
３１  骨伝導イヤホン